(57)【要約】      （修正有）【課題】流体の流路である流管本体内部と遮断された流管本体外部から、電気や空気圧を使わず簡単な操作で流体の流路を開閉することができるようにする。【解決手段】流管本体１７の内部に固定された１組２個の軟磁性体２それぞれと、それぞれの軟磁性体の近傍で流管本体外部に配置した永久磁石４−１、及び４−２の磁極のＮ極、及びＳ極、及び、該軟磁性体２個の近くに設置され流管本体の軸方向に直進・後退が可能な軟磁性体３の１個とから成る磁気回路を構成し、永久磁石４−１及び４−２を流管本体の周方向に約９０度移動させることによって、軟磁性体３を磁気吸着しない磁気回路から吸着する磁気回路に切り替えることに拠って、軟磁性体３に機械的に連動する弁体６を移動させ、流路を開く。【選択図】図８
2019135400.tif 000002
【特許請求の範囲】
【請求項１】
断面が円環状で流体を流す流管本体内の内壁に固定され、且つ流管本体の直径方向の両端に位置する１対２個の軟磁性体と、
該１対２個の軟磁性体の両者の近くで且つ軸方向に設置され、流管本体内で流管の軸方向に進退移動が可能な１個の軟磁性体とから成り、
流管本体の内部に設置された移動可能な軟磁性体の機械的な進退運動に連動して、機械的に直進又は後退する弁体が流路の開閉を行なう流路開閉装置。
【請求項２】
断面が円環状で流体を流す流管本体内の内壁に固定され、且つ流管本体の直径方向の両端に位置する１対２個の軟磁性体のそれぞれの、１個の軟磁性体に少なくとも１個の永久磁石のＮ極を、他の軟磁性体には少なくとも１個の永久磁石のＳ極を、それぞれ流管本体の外部から近接させた場合に、磁束の流れが、「外部永久磁石のＮ極」から「１対の軟磁性体の片方」へ、次いで「移動可能な１個の軟磁性体」へ、更に引き続いて「１対の軟磁性体の他の片方」から「外部永久磁石のＳ極」へと繋がる磁気回路を構成すると共に、流管本体の外周部に配置された永久磁石をそれぞれ同じ周方向に略９０度移動させると、磁束の流れが、「外部永久磁石のＮ極」から「１対２個の軟磁性体」へ、次いで引き続いて「外部永久磁石のＳ極」へと繋がる磁気回路を構成することを特徴とする、請求項１に記載の流路開閉方法。
【請求項３】
断面が円環状で流体を流す流管本体内の内壁に固定され、且つ流管本体の直径方向の両端に位置する１対２個の軟磁性体と、
該１対２個の軟磁性体の2個それぞれの近くで且つ軸方向に対向設置され、且つ流管本体内で流管の軸方向に一体化して進退移動が可能な2個１対の軟磁性体とから成り、
前記一体化して移動可能な2個１対の軟磁性体の機械的な進退運動に連動して、機械的に直進又は後退する弁体が流路の開閉を行なう流路開閉装置。
【請求項４】
断面が円環状で流体を流す流管本体内の内壁に固定され、且つ流管本体の直径方向の両端に位置する１対２個のそれぞれの軟磁性体において、１個の軟磁性体Ａには少なくとも１個の永久磁石のＮ極を、他の軟磁性体Ｂには少なくとも１個の永久磁石のＳ極を、それぞれ流管本体の外部から近接させると共に、
前記固定された１対２個の軟磁性体の両者それぞれの近くで且つ軸方向に対向設置され、一体化して流管本体の軸方向に進退移動可能な2個１対の軟磁性体があって、前記軟磁性体Ａに対向している軟磁性体Ｃには少なくとも１個の永久磁石のＳ極を、前記軟磁性体Ｂに対向している軟磁性体Ｄには少なくとも１個の永久磁石のＮ極を、それぞれ流管本体の外部から近接させた場合、
磁束の流れが、「軟磁性体Ａに近接している外部永久磁石のＮ極」から「軟磁性体Ａ」へ、次いで「軟磁性体Ｃ」へ、更に引き続いて「軟磁性体Ｃに近接している外部永久磁石のＳ極」へと繋がる磁気回路を構成すると共に、「軟磁性体Ｄに近接している外部永久磁石のＮ極」から「軟磁性体Ｄ」へ、次いで「軟磁性体Ｂ」へ、更に引き続いて「軟磁性体Ｂに近接している外部永久磁石のＳ極」へと繋がる磁気回路を構成し、
軟磁性体Ａ及び軟磁性体Ｂに対応している外部永久磁石１組と、軟磁性体Ｃ及び軟磁性体Ｄに対応している外部永久磁石１組とにおいて、いずれか１組は動かさず、他の１組を、
その組の永久磁石の相対位置を変えずに流管本体外周を約９０度又は約１８０度の少なくともどちらか一方に移動することによって磁気回路を変更することを特徴とする、請求項３に記載の流路開閉方法。
【請求項５】
断面が円環状で流体を流す流管本体内の内壁に固定され、且つ流管本体の直径方向の両端位置に配置され、流管本体の軸方向で且つそれぞれ逆方向に磁化した１対２個の永久磁石と、
該１対２個の永久磁石の両者それぞれの近くで且つ軸方向に対向設置された２個の軟磁性体それぞれが、流管本体内で流管の軸方向に一体化して進退移動が可能である２個１対の軟磁性体とから成り、
前記一体化して移動可能な２個１対の軟磁性体の機械的な進退運動に連動して、機械的に直進又は後退する弁体が流路の開閉を行なう流路開閉装置。
【請求項６】
断面が円環状で流体を流す流管本体内の内壁に固定され、且つ流管本体の直径方向の両端に位置しており、流管本体の軸方向で且つそれぞれ逆方向に磁化した１対2個の永久磁石があり、該永久磁石2個の近くで且つ軸方向にそれぞれ対向設置された２個1組の軟磁性体があって、
前記対向した永久磁石の磁極がＮ極に対応している軟磁性体Ｅには少なくとも１個の永久磁石のＳ極を流管本体の外部から近接させ、前記対向した永久磁石の磁極がＳ極に対応している軟磁性体Ｆには少なくとも１個の永久磁石のＮ極を流管本体の外部から近接させた場合、
磁束の流れが、「固定永久磁石のＮ極」から「軟磁性体Ｅ」へ、次いで「軟磁性体Ｅに近接している外部永久磁石のＳ極」へと繋がる磁気回路を構成すると共に、「軟磁性体Ｆに近接している外部永久磁石のＮ極」から「軟磁性体Ｆ」へ、次いで「固定永久磁石のＳ極」へと繋がる磁気回路を構成し、
軟磁性体Ｅ及び軟磁性体Ｆに対応している外部永久磁石１組を、その組の永久磁石の相対位置を変えずに流管本体外周を約９０度又は１８０度の少なくともどちらか一方に移動することによって磁気回路を変更することを特徴とする、請求項５に記載の流路開閉方法。
【請求項７】
流管本体内の1対2個の軟磁性体に近接対応して流管本体外に設置された少なくとも２個の永久磁石1組において、それぞれの永久磁石の流管本体側の極性とは逆の極性側を軟磁性体で繋いで、流管本体外で外部磁気回路を構成することを特徴とする、請求項１から請求項６のいずれか1項に記載の流路開閉装置。
【発明の詳細な説明】
【技術分野】
【０００１】
本発明は、流体を流す流管内の流路を開閉する装置とその方法に関わり、特に機械的な力を直接流管内へ印加せずに、流管外部の簡単な操作でもって開閉する。
【背景技術】
【０００２】
流体の流量を制限するバルブの種類は、グローブバルブ、ボールバルブ、バタフライバルブ、ゲートバルブ等があり、流体の性質や流量の多寡、要求される正確さでもって選定される。
また、バルブ開閉の駆動は、電動、エアー圧、或いは手動が想定されている。何れも流管外の電磁力が流管内の開閉弁を動かし、或いは流管外から機械的力を流管内へ直接加えている。
【先行技術文献】
【特許文献】
【０００３】
【特許文献１】特開平０６―１８５６５７号公報
【発明の概要】
【発明が解決しようとする課題】
【０００４】
特許文献１に記載されている先行技術は、電磁力、いわゆるモーターでもってスクリューを回転させる事により該スクリューを軸方向に移動させて、流路の蓋の開閉を行なう。
電動に代わり空気圧で流路の開閉を行なう事も出来るが、何れも、構造が複雑で、電気配線や空気配管が必要となる。
【０００５】
手動でバルブの開閉を行なう構造もある。しかし、この場合も特別な部品とその装着が必要である。
しかも既存の上述したバルブの最大の懸念は、流体が流れる流管本体に開けた孔をいか様にシールしても、流路から流体が漏れ出す可能性が存在することである。
流体の温度や環境の温度によって極端な温度や温度差環境を経験すると、シール部分やシール材の劣化によって流体の漏れる可能性が増え、更にその流体が可燃性の場合は致命的な事故に繋がりかねないのである。
【０００６】
そこで本発明は、流体が流れる流管本体に孔を開けること無く内部と外部とを完全に分離隔離して、機械的に直接的な作動を行なわなくとも、流管内部での流路の開閉を行なう事が可能な流路開閉装置及び流路開閉方法を実現することを目標とする。
【課題を解決するための手段】
【０００７】
本発明は、流体が流れる流管本体内に固定された２個１組の軟磁性体それぞれに対して、２個の永久磁石のＮ極、及びＳ極それぞれを流管本体の外部から磁気的に近づけることによって流管本体内部で磁気回路を構成せしめると共に、該永久磁石の位置を変更することによって該磁気回路を変更させて流体の流路を開閉する機構を見出した
【０００８】
即ち、断面が円環状の流管本体の内壁に固定され、且つ流管本体の直径方向の両端に位置する１対２個の軟磁性体と、該軟磁性体２個の両者の近くで且つ軸方向に設置され、流管本体内で流管の軸方向に進退移動が可能な１個の軟磁性体とから構成され、移動可能な軟磁性体の機械的な進退運動に連動して、機械的に直進又は後退する弁体が流路の開閉を行なう流路開閉装置である。
【０００９】
該流路開閉装置は、次の様な方法で流路を開閉することが出来る。即ち、１対２個の軟磁性体の1個には、少なくとも１個の永久磁石のＮ極を、他の軟磁性体には少なくとも１個の永久磁石のＳ極を、それぞれ流管本体の外部から近接させた場合に、磁束の流れが、「外部永久磁石のＮ極」から「１対の軟磁性体の片方」へ、次いで「移動可能な１個の軟磁性体」へ、更に引き続いて「１対の軟磁性体の他の片方」から「外部永久磁石のＳ極」へと繋がる磁気回路を構成する。
【００１０】
更に、外部の永久磁石をそれぞれ同じ周方向へ略９０度移動させると、磁束の流れが、「外部永久磁石のＮ極」から「１対２個の軟磁性体」へ、次いで引き続いて「外部永久磁石のＳ極」へと繋がる磁気回路を構成する。
永久磁石の2つの位置の切り替えでもって磁気回路を切り替え、軟磁性体を吸引する力を働かせるか、若しくは力が働かなくすることで、軟磁性体の機械的な進退運動に連動して進退する弁体によって流路の開閉を行なう。
【００１１】
また、前記・流体を流す流管本体の内部に設置された移動可能な１個の軟磁性体に換えて、流管の軸方向に移動可能な２個１対の軟磁性体、及び流管本体の外側にあって、該軟磁性体それぞれに近づけることが可能な少なくとも２個の永久磁石であっても良い。
【００１２】
即ち、断面が円環状の流管本体内に固定された１対２個の軟磁性体と、該１対の軟磁性体の両者の近くで管の軸方向に並んで設置され、流管本体内で一体化して流管の軸方向に直進・後退可能な他の１対２個の軟磁性体とから成り、前記固定された１対２個の軟磁性体のそれぞれに、少なくとも１個の永久磁石のＮ極と、少なくとも１個のＳ極をそれぞれ流管本体の外部から近接させることが可能であると共に、移動可能な他の１対の軟磁性体のそれぞれにも、同様に少なくとも１個の永久磁石のＮ極と、少なくとも１個の永久磁石のＳ極をそれぞれ流管本体の外部から近接させることが可能である構成である。
【００１３】
そうして、固定された１対の軟磁性体に近接した１対の永久磁石、若しくは、流管の軸方向に移動可能な１対の軟磁性体に近接した１対の永久磁石の何れか片方の１対を、流管本体の周方向に略９０度又は略１８０度の少なくともどちらか一方に移動させることに拠り、磁気回路の変更が可能である事を特徴とする、流路開閉方法であっても良い。
【００１４】
更に、流管本体内に固定された1対２個の軟磁性体に換えて、永久磁石2個1対を流管本体内に固定しても良い。但し、流管本体外の付随していた永久磁石は不要となる。
【００１５】
また、流管本体の外に配置されている永久磁石の、流管本体内の軟磁性体に向けて、且つ近づけている１つの磁極と異なる他の磁極と、セットになっている他の永久磁石の同様の磁極とを軟磁性体でつないで、流管本体外側で磁気回路を構成することは好ましい。
【００１６】
上記に拠れば、流管本体の外側の永久磁石と、流管本体内の軟磁性体や永久磁石とが構成する磁気回路を変更させることが出来る。その結果、移動可能な磁性体が流管の軸方向に吸引、反発、または力が作用しない状態を出現させて、該磁性体と機械的に連動する流路開閉用弁体を動かして、流路の開閉を行なう事が可能である。
【発明の効果】
【００１７】
本発明によれば、流体が流れる流管本体の内外が機械的には完全に遮断された状態で、外部の永久磁石を流管本体の周方向に略９０度、若しくは略１８０度移動させることによって、つまり手動に拠る簡単な操作でもって、流体通路を開閉することが出来る。
構造が簡単である。
【図面の簡単な説明】
【００１８】
【図１−（ａ）】本発明の実施例１を説明する図であり、流管本体の軸方向に垂直な断面の模式図である。
【図１−（ｂ）】本発明の実施例１を説明する図であり、図１−（ａ）のＡ―Ａ’で示す位置の断面の模式図である。
【図２−（ａ）】本発明の実施例１を説明する他の図であり、流管本体の軸方向に垂直な断面の模式図である。
【図２−（ｂ）】本発明の実施例１を説明する他の図であり、図２−（ａ）のＢ―Ｂ’で示す位置の断面の模式図である。
【図３−（ａ）】本発明の他の実施態様の例を説明する図であり、図１−（ａ）と実質同等な実施態様の例である。
【図３−（ｂ）】本発明の他の実施態様の例を説明する図であり、図２−（ａ）と実質同等な実施態様の例である。
【図４−（ａ）】本発明の他の実施態様の例を説明する図であり、図３−（ａ）と実質同等な実施態様の例である。
【図４−（ｂ）】本発明の他の実施態様の例を説明する図であり、図３−（ｂ）と実質同等な実施態様の例である。
【図５−（ａ）】本発明の実施例２を説明する図であり、流管本体の軸方向に沿った断面の模式図である。
【図５−（ｂ）】本発明の実施例２を説明する図であり、図５−（ａ）の下段に配置した磁性体及び永久磁石の配置を示す。
【図５−（ｃ）】本発明の実施例２を説明する図であり、図５−（ａ）の上段に配置した磁性体及び永久磁石の配置を示す。
【図６−（ａ）】本発明の実施例２において、図５−（ｃ）の流管本体外の永久磁石を、周方向に約１８０度移動させた場合の説明図であり、流管本体の軸方向に沿った断面の模式図である。
【図６−（ｂ）】本発明の実施例２において、図５−（ｃ）の流管本体外の永久磁石を、周方向に約１８０度移動させた場合の説明図であり、図６−（ａ）の上段部分の磁性体を含む軸方向に垂直な方向の断面図である。
【図７】本発明の実施例３の構成を説明する図である。
【図８】本発明の実施例１を、グローブバルブに適用した説明図である。
【発明を実施するための形態】
【００１９】
実施例と図面で説明する。
【実施例１】
【００２０】
図１−（ａ）は、流体が流れる流管本体の本発明に関わる部分における、軸方向に垂直な断面の模式図である。但し、後述する図１−（ｂ）の軟磁性体３側から見た図である。
流管本体１の内部に、軟磁性体２が２個１組で固定配置されていて、該軟磁性体に対応した流管本体の外部に、永久磁石４−１と４−２が配置している。ここに、永久磁石４−１は流管本体側にＮ極を向けて軟磁性体に近接しており、永久磁石４−２は、流管本体側にＳ極を向けて軟磁性体に近接している。
流管本体は非磁性であり、例えば真鍮やＳＵＳ３０４などの非磁性ステンレスで製作されている。
【００２１】
図１−（ａ）の配置の場合の磁力線５は、永久磁石４−１から軟磁性体を通過して永久磁石４−２へ通じて、磁気回路を構成している。本発明の説明図では、磁力線の流れを破線で示している。
【００２２】
図１−（ａ）のＡ―Ａ’を断面とする流管本体の模式図を、図１−（ｂ）に示す。１組２個の軟磁性体２の近くに軟磁性体３が配置されていて、機械的に弁体６に繋がっている。
但し、永久磁石４−１及び４−２は、軟磁性体２の長さ方向、即ち流管本体の軸方向において軟磁性体３から遠い位置に配置されている。
軟磁性体３と弁体６は一体化して流管本体の軸方向にスムーズに進退可能な様に例えば軸受け等（図示せず）で支えられている。
更に、バネ（図示せず）などで弁体６が弁座７に押し付けられる構造でも良い。
【００２３】
図１−（ａ）の配置の場合は、永久磁石４−１及び４−２と軟磁性体２との間で磁気回路が閉じているので、図１−（ｂ）において、軟磁性体２と軟磁性体３との間に磁気回路が構成されていない。つまり磁気的な力が発生していない。
この場合、弁体６は、例えば流体圧、或いはバネの力で弁座７に押し付けられていて、流体が、空間８から空間９側へ流れる流路が閉ざされている。
尚軟磁性体３には、流体が流れ易い様に例えば破線で示す隙間や孔が施されている。
【００２４】
図１−（ａ）において、永久磁石４−１と４−２とをそれぞれ、流管本体１の外周に沿って時計回り方向に約９０度移動（回転）させた図が、図２−（ａ）である。
図のＢ−Ｂ’を断面とする、流管本体の模式図が図２−（ｂ）である。但し、弁体６等を省略している。
【００２５】
軟磁性体２はそれぞれ磁化して、近くの軟磁性体３を介して磁気回路を構成するので、軟磁性体３は流管本体に固定された軟磁性体２に吸引される力を受ける。
こうして、軟磁性体３と一体化している弁体６が弁座７から離れて、流体が空間８から空間９へと流れる流路が開かれる。
【００２６】
肉厚２．０ｍｍ内径４０ｍｍの真鍮製流管本体の内部に、図２−（ａ）及び（ｂ）の様な形状の磁性鋼製の軟磁性体２を２個固定した。図２−（ａ）に示す軟磁性体1個の断面積は約３４０平方ｍｍであった。該磁性体の、流管本体の軸方向の長さは４０ｍｍである。
そして、図２−（ｂ）に示す様に、直系３９．５ｍｍ、厚さ２．０ｍｍの磁性鋼製の軟磁性体３は、上記軟磁性体２の端から３．０ｍｍの位置にあった。
【００２７】
他方で、焼結Ｎｄ磁石で作られた永久磁石４−１、及び４−２は、流管本体の外周にピタリと沿う半円筒状で、内径側の周方向の長さが４６ｍｍ、半径方向の厚さ７ｍｍ、軸方向の長さ１５ｍｍであり、内径側全面がＮ極、及びＳ極であった。表面磁束密度は略３５０ｍＴであった。
上述した軟磁性体及び永久磁石を上述した位置にセットすると、軟磁性体３は約１．７Ｎ（ニュートン）の吸引力を受けて弁体６が弁座７から離れて流路が開いた。
【００２８】
永久磁石４−１と４−２とを、元の方向へ９０度移動させるか、若しくは、更に９０度合計１８０度移動させると、磁気回路が短絡して軟磁性体３を通らなくなり、軟磁性体２と軟磁性体３との間の吸引力が消滅する。
そして、流体圧又はバネの力で弁体６が弁座７に押し付けられて、流路が閉ざされた。
【００２９】
本発明で採用される永久磁石は、図１−（ａ）に換えて例えば図３−（ａ）の様であっても差し支えない。永久磁石を流管本体の外周に沿って９０度移動させると図３−（ｂ）となって、図２−（ａ）と同等な磁気回路を得ることが出来る。
【００３０】
図４−（ａ）と図４−（ｂ）はそれぞれ、図３−（ａ）と図３−（ｂ）の永久磁石にヨーク１０を配置したもので、４個の永久磁石の流管本体側に向けた磁極とは逆の磁極側それぞれを軟磁性体のヨーク１０で繋いでいる。
該ヨーク１０を通じた磁気回路を流管本体外に構成することで、軟磁性体２をより強く磁化して、軟磁性体３との磁気吸引力を強めることが出来る。
【００３１】
ヨーク１０は、図１−（ａ）に示す永久磁石にも適用することが出来る。永久磁石とヨーク１０とを一体化（固定）することで、流管本体の外周に沿って永久磁石を移動させる操作が容易になり好都合である。
尚、ヨーク１０を通過する磁力線は記載していない。
【００３２】
図８は本発明の実施例１をグローブバルブに適用した模式図である。流管本体１７内に固定されている軟磁性体２の１つに対向した位置の流管本体外に永久磁石４−１があり、他の軟磁性体に対向した同様の位置に永久磁石４−２が配置されている。この場合、図２−（ａ）に示した構成となり、磁力線（図示せず）は、永久磁石４−１から軟磁性体２へ、次いで軟磁性体３、更に軟磁性体２へ、そして永久磁石４−２へと繋がり、磁気回路を構成して、軟磁性体３は磁化した軟磁性体２に吸引力を受ける。図２−（ｂ）がその磁気回路を示している。
【００３３】
そうして、軟磁性体３に機械的に連結されて、流管本体の軸方向にスムーズに進退可能にさせられている（図示していない）弁体６は、弁座７から離れるので、流管本体内の流路である空間１５から、空間１６への流路が開く。
【００３４】
永久磁石４−１と４−２とを９０度移動させて、図１−（ａ）に示す配置に変更すると、磁気回路が軟磁性体３を経由しないので軟磁性体３への吸引力が無くなり、弁体６は自重やバネ、或いは流体圧で弁座７に押し付けられ、流路を閉ざすことが出来る。
【実施例２】
【００３５】
図５−（ａ）は、実施例１の図１−（ｂ）における軟磁性体３に換えて、２個１対の軟磁性体１１を配置したもので、軟磁性体１１は、流管本体内で軸方向に進退可能であり、弁体６と一体化している事などを含めて、実施例１と同じである。
更に、軟磁性体１１に対向して、流管本体の外側には、永久磁石１２−１、１２−２が配置されている。永久磁石１２−１と１２−２は、軟磁性体１１の長さ方向、即ち流管本体の軸方向において軟磁性体２から遠い位置に配置されている。
【００３６】
図５−（ａ）に示した永久磁石の配置を、流管本体の軸に垂直な断面で見ると、固定されている磁性体２の部分は図５−（ｂ）、進退可能な磁性体１１の部分は図５−（ｃ）で示している。但し図５−（ｂ）と図５−（ｃ）はそれぞれ、図５−（ａ）の空僻１３部の側から見た図である。
図５−（ａ）、（ｂ）、（ｃ）の配置の場合の磁気回路は、図５−（ａ）に示す様に、磁化した軟磁性体２と１１とは同極の磁極が向い会って、反発力が発生する。
【００３７】
磁力線５は、同じ磁極が向かい合った空僻１３に密集するが磁力線同士が反発するので磁極同士、Ｓ極とＳ極、及びＮ極とＮ極が反発し、磁性体１１は固定されている磁性体２に反発して、図の上方へと押しやられる。
この時、軟磁性体１１と一体化している弁体が、弁座７に押し付けられて、流路が閉じるのである。
【００３８】
次に、図５−（ｃ）の永久磁石を、流管本体の外周に沿って、約１８０度移動させると図６−（ｂ）の様になり、その結果、軟磁性体２と軟磁性体１１とは異なる磁極が向い会う様になり、磁気的な吸引力が働く。
図６−（ａ）はその状態を模式的に示している。
この場合、磁性体１１と一体化した弁体６は、図の下方へ引き寄せられて、弁座７との間に流路が開くのである。
【００３９】
本実施例では、移動可能な磁性体１１に対向した永久磁石１２−１、１２−２を移動させて、流路の開閉を行なったが、永久磁石１２−１、１２−２は動かさず、永久磁石４−１と４−２とをそれぞれ１８０度移動させても、同様の吸引力が得られる。
【実施例３】
【００４０】
実施例３の図５−（ａ）において、固定された軟磁性体２に換えて、永久磁石４１と４２とを、流管本体内の磁性体２が固定されていた位置に固定した。図７に示す様に、永久磁石４１のＮ極が軟磁性体１１の１つに対向する様に、永久磁石４２のＳ極が他の軟磁性体１１に対向する様に配置している。
【００４１】
軟磁性体１１とセットになっている流管本体外の永久磁石の配置が、図５−（ｃ）と同等であれば、図７の様な磁極の配置となり、空間１３には、図５−（ａ）と同様な磁力線が溢れて、軟磁性体１１は固定されている永久磁石４１、４２から反発力を受ける。
次に、永久磁石１２−１、１２−２それぞれを流管本体の外周に沿って１８０度移動すると、軟磁性体１１は固定された永久磁石４１，４２から吸引力を受ける。
かくして、流路の開閉を行なう事が出来る。
【産業上の利用可能性】
【００４２】
本発明は、流体を流す流管本体の内外を機械的には完全に遮断した状態で、電力を必要とせず、簡単な手動操作でもって流体の流路を開閉するバルブとして適用することが出来る。
【符号の説明】
【００４３】
１  流管本体
２  軟磁性体
３  軟磁性体
４−１  永久磁石
４−２  永久磁石
４１  永久磁石
４２  永久磁石
５  磁力線
６  弁体
７  弁座
８  流体の流路空間
９  流体の流路空間
１０  ヨーク
１１  軟磁性体
１２−１  永久磁石
１２−２  永久磁石
１３  空隙部
１４  グローブバルブ
１５  流体の流路空間
１６  流体の流路空間
１７  流管本体
【図１−（ａ）】
2019135400.tif 000003
【図１−（ｂ）】
2019135400.tif 000004
【図２−（ａ）】
2019135400.tif 000005
【図２−（ｂ）】
2019135400.tif 000006
【図３−（ａ）】
2019135400.tif 000007
【図３−（ｂ）】
2019135400.tif 000008
【図４−（ａ）】
2019135400.tif 000009
【図４−（ｂ）】
2019135400.tif 000010
【図５−（ａ）】
2019135400.tif 000011
【図５−（ｂ）】
2019135400.tif 000012
【図５−（ｃ）】
2019135400.tif 000013
【図６−（ａ）】
2019135400.tif 000014
【図６−（ｂ）】
2019135400.tif 000015
【図７】
2019135400.tif 000016
【図８】
2019135400.tif 000017